(57)【要約】【課題】構成部材に湿潤紙力剤が配合されていても、柔軟性や吸水性に優れる吸収性物品を提供する。【解決手段】吸収体２２と、少なくとも一部が液透過性材料からなり、吸収体２２の表面を被覆するように配置されたトップシート１８と、液不透過性材料からなり、吸収体２２の裏面を被覆するように配置されたバックシート２０と、を備え、吸収体２２とトップシート１８との間に、湿潤紙力剤が配合されたシート状部材５０が配置されており、シート状部材５０のうち、少なくとも着用者の性器及び肛門に宛がわれる部分にエンボス加工が施されることによってエンボス部５２が形成されている吸収性物品１Ａ。【選択図】図１Ｂ
2010115352.tif 000002
【特許請求の範囲】
【請求項１】
吸収体と、少なくとも一部が液透過性材料からなり、前記吸収体の表面を被覆するように配置されたトップシートと、液不透過性材料からなり、前記吸収体の裏面を被覆するように配置されたバックシートと、を備え、
前記吸収体と前記トップシートとの間に、湿潤紙力剤が配合されたシート状部材が配置されており、
前記シート状部材のうち、少なくとも着用者の性器及び肛門に宛がわれる部分にエンボス加工が施されることによってエンボス部が形成されている吸収性物品。
【請求項２】
前記シート状部材が、前記吸収体を被包する吸収体被包シートであり、
前記吸収体被包シートのうち、少なくとも着用者の性器及び肛門に宛がわれる部分に、前記エンボス部が形成されている請求項１に記載の吸収性物品。
【請求項３】
前記シート状部材が、前記トップシートと前記吸収体の中間層となるセカンドシートであり、
前記セカンドシートのうち、少なくとも着用者の性器及び肛門に宛がわれる部分に、前記エンボス部が形成されている請求項１又は２に記載の吸収性物品。
【請求項４】
前記シート状部材のうち、着用者の性器及び肛門に宛がわれる部分に、小さいエンボスが密に配置されてなる第１エンボス部が形成されるとともに、前記第１エンボス部の周縁部に、大きいエンボスが疎に配置されてなる第２エンボス部が形成されている請求項１〜３のいずれか一項に記載の吸収性物品。
【請求項５】
前記シート状部材は、前記吸収体と前記トップシートとの間に、前記エンボス部が２層以上積層されるように配置されている請求項１〜４のいずれか一項に記載の吸収性物品。
【請求項６】
前記トップシートと前記吸収体の中間層となるセカンドシートとして、嵩が高い親水性不織布からなる不織布セカンドシートを備え、
前記不織布セカンドシートは、前記トップシートと前記シート状部材との間に配置されている請求項１〜５のいずれか一項に記載の吸収性物品。
【発明の詳細な説明】
【技術分野】
【０００１】
本発明は、吸収体、トップシート及びバックシートを備え、湿潤強力紙からなるシート状部材を構成部材として備えた吸収性物品に関するものである。
【背景技術】
【０００２】
一般に、使い捨ておむつ、尿パッド等の吸収性物品は、吸収体と、少なくとも一部が液透過性材料からなり、吸収体の表面を被覆するように配置されたトップシートと、液不透過性材料からなり、吸収体の裏面を被覆するように配置されたバックシートと、を備えている。
【０００３】
このような吸収性物品は、トップシートが着用者の肌と接するように使用され、着用者が排泄した尿はトップシートの液透過性部分を透過して吸収体に吸収・保持される。そして、吸収体の裏面側に配置された液不透過性のバックシートによって、排泄物が外部に漏洩することが防止される。
【０００４】
ところで、前記構造の吸収性物品では、構成部材にティシュや吸収紙等の紙が用いられることがある。これらの紙には尿等により湿潤しても破れない程度の湿潤紙力が要求されるため、尿素・ホルマリン系樹脂等の湿潤紙力剤を配合することが行われている。例えば、吸収性物品の吸収体について、パルプ繊維と湿潤紙力剤とを含む抄紙液から、吸収体の肌当接面側を構成する第１シートを製造することが開示されている（例えば、特許文献１参照）。
【０００５】
【特許文献１】特開２００１−３１４４４４号公報
【発明の開示】
【発明が解決しようとする課題】
【０００６】
しかしながら、特許文献１に記載の吸収性物品のように、構成部材に湿潤紙力剤を配合すると、その構成部材が硬化して柔軟性や吸水性が低下するという問題があった。構成部材の柔軟性が低下すると、吸収性物品の着用感が低下するため好ましくなく、吸水性の低下はそのまま吸収性物品の品質低下に繋がるため好ましくない。
【０００７】
本発明は、このような従来技術の有する問題点に鑑みてなされたものであり、構成部材に湿潤紙力剤が配合されていても、柔軟性や吸水性に優れる吸収性物品を提供するものである。
【課題を解決するための手段】
【０００８】
本発明者は、前記のような従来技術の課題を解決するために鋭意検討した結果、湿潤紙力剤が配合された構成部材にエンボス加工を施すことによって、上記課題が解決されることに想到し、本発明を完成させた。具体的には、本発明により、以下の吸収性物品が提供される。
【０００９】
［１］  吸収体と、少なくとも一部が液透過性材料からなり、前記吸収体の表面を被覆するように配置されたトップシートと、液不透過性材料からなり、前記吸収体の裏面を被覆するように配置されたバックシートと、を備え、前記吸収体と前記トップシートとの間に、湿潤紙力剤が配合されたシート状部材が配置されており、前記シート状部材のうち、少なくとも着用者の性器及び肛門に宛がわれる部分にエンボス加工が施されることによってエンボス部が形成されている吸収性物品。
【００１０】
［２］  前記シート状部材が、前記吸収体を被包する吸収体被包シートであり、前記吸収体被包シートのうち、少なくとも着用者の性器及び肛門に宛がわれる部分に、前記エンボス部が形成されている前記［１］に記載の吸収性物品。
【００１１】
［３］  前記シート状部材が、前記トップシートと前記吸収体の中間層となるセカンドシートであり、前記セカンドシートのうち、少なくとも着用者の性器及び肛門に宛がわれる部分に、前記エンボス部が形成されている前記［１］又は［２］に記載の吸収性物品。
【００１２】
［４］  前記シート状部材のうち、着用者の性器及び肛門に宛がわれる部分に、小さいエンボスが密に配置されてなる第１エンボス部が形成されるとともに、前記第１エンボス部の周縁部に、大きいエンボスが疎に配置されてなる第２エンボス部が形成されている前記［１］〜［３］のいずれかに記載の吸収性物品。
【００１３】
［５］  前記シート状部材は、前記吸収体と前記トップシートとの間に、前記エンボス部が２層以上積層されるように配置されている前記［１］〜［４］のいずれかに記載の吸収性物品。
【００１４】
［６］  前記トップシートと前記吸収体の中間層となるセカンドシートとして、嵩が高い親水性不織布からなる不織布セカンドシートを備え、前記不織布セカンドシートは、前記トップシートと前記シート状部材との間に配置されている前記［１］〜［５］のいずれかに記載の吸収性物品。
【発明の効果】
【００１５】
本発明の吸収性物品は、構成部材に湿潤紙力剤が配合されていても、柔軟性や吸水性に優れる。
【発明を実施するための最良の形態】
【００１６】
以下、本発明の吸収性物品を実施するための最良の形態について、尿パッドの例により具体的に説明する。但し、本発明はその発明特定事項を備える吸収性物品を広く包含するものであり、以下の実施形態に限定されるものではない。
【００１７】
［１］定義等：
「尿パッド」は、インナーパッド、補助パッドとも称され、使い捨ておむつと同様に、吸収体、トップシート及びバックシートを備えた、尿吸収を目的とする吸収パッドである。使い捨ておむつとは異なり、着用者の腰周りを被包する部分を持たない点が特徴であり、通常は使い捨ておむつのトップシートの表面又は下着の内面等に載置した状態で用いられる。
【００１８】
本発明の吸収性物品の適用対象には、テープ型使い捨ておむつやパンツ型使い捨ておむつも含まれる。「テープ型使い捨ておむつ」とは、吸収体と、トップシートと、バックシートとを備え、後身頃の左右の各側縁から延出するように配置された、前身頃と後身頃とを固定するための止着テープを更に備えた使い捨ておむつを意味する。
【００１９】
「止着テープ」は、粘着剤により固定を行う粘着ファスナー、機械的な結合により固定を行うメカニカルファスナー（面状ファスナー）等を備えていて、前身頃と後身頃との固定を行うことができるように構成されている。
【００２０】
なお、「前身頃」とは、着用者に装着した際に、着用者の腹側（身体前方）を覆う部分、「後身頃」とは、着用者に装着した際に、着用者の背側（身体後方）を覆う部分を意味する。着用者に装着した際に、着用者の股下を覆う部分は「股下部」と称される。
【００２１】
「パンツ型使い捨ておむつ」とは、前身頃と後身頃の対応する側縁同士を接合することによって、一つのウエスト周り開口部及び一対の脚周り開口部が形成され、予めパンツ型に構成された使い捨ておむつを意味するものとする。
【００２２】
中でも、トップシートとバックシートとの層間に吸収体が内包され、パッド状に形成された吸収性本体と、一つのウエスト周り開口部及び一対の脚周り開口部が形成されたパンツ型を呈する外装シートとを備え、外装シートの内側に吸収性本体が配置・固定された形態を「２ピースタイプ」と称することがある。
【００２３】
［２］本発明の実施形態：
本発明の吸収性物品は、図１Ａ及び図１Ｂに示す吸収性物品１Ａのように、吸収体２２とトップシート１８との間に、湿潤紙力剤が配合されたシート状部材５０が配置され、シート状部材５０のうち、少なくとも着用者の性器及び肛門に宛がわれる部分にエンボス加工が施されることによってエンボス部５２が形成されている吸収性物品である。
【００２４】
湿潤紙力剤としては、主として熱硬化性樹脂が用いられている。この熱硬化性樹脂が加熱により硬化するため、紙に耐水性が付与され、湿潤紙力が向上する。従って、湿潤紙力剤が配合された紙（湿潤強力紙）は、熱硬化した樹脂によって柔軟性や吸水性を失う場合がある。本発明の吸収性物品は、湿潤紙力剤に由来する硬化樹脂をエンボス加工（型押し）によって微細化するため、シート状部材に湿潤紙力剤が配合されていても、柔軟性や吸水性に優れる。
【００２５】
［２−１］シート状部材：
本発明の吸収性物品は、図１Ａ及び図１Ｂに示す吸収性物品１Ａのように、吸収体２２とトップシート１８との間に、湿潤紙力剤が配合されたシート状部材５０が配置されている。
【００２６】
「湿潤紙力剤」とは、ベースとなる紙の湿潤紙力を向上させるための添加剤を意味する。「湿潤紙力剤」としては、熱硬化性樹脂、より具体的には、ポリアミドポリアミン・エピクロロヒドリン系樹脂、メラミン・ホルマリン系樹脂、尿素・ホルマリン系樹脂等の熱硬化性樹脂を好適に用いることができる。これらの中でも、高い湿潤紙力を得ることができ、有害物質のホルマリンを含まず、内添する場合に使用可能な抄紙ｐＨ域が広い点で、ポリアミドポリアミン・エピクロロヒドリン系樹脂を用いることが好ましい。
【００２７】
湿潤紙力剤を配合するベースとなる紙としては、例えば、ティシュ、吸収紙等を挙げることができる。配合の方法は、抄紙の際に湿潤紙力剤を配合する方法（内添法）、ベースとなる紙シートに湿潤紙力剤を付着させる方法（外添法）等を挙げることができる。但し、本発明においては、外添法は、大掛かりな製造設備が必要になるという理由から、内添法により得られた湿潤強力紙を用いることが好ましい。
【００２８】
湿潤紙力剤の配合量は、紙パルプ１００質量部に対し、０．２〜２．０質量部を配合することが好ましい。配合量が０．２質量部未満であると、湿潤紙力向上の効果が不十分となる場合がある。２．０質量部を超えると、後述するエンボス加工を施しても、吸収性物品の柔軟性や吸収性が所望のレベルまで改善されないおそれがある。
【００２９】
本発明の吸収性物品は、吸収体とトップシートとの間に配置されるシート状部材の少なくとも一つに湿潤強力剤が配合されていればよい。吸収体とトップシートとの間に配置されるシート状部材としては、例えば、吸収体被包シート、セカンドシート等を挙げることができる。
【００３０】
「吸収体被包シート」は、吸収体に配合されるＳＡＰの脱落を防止し、吸収体の形状安定性を付与する目的で、吸収体を被包しているシート状部材である。「セカンドシート」は、拡散シート、トランスファーシート等とも称され、尿の一時的貯留や尿の拡散促進を目的としてトップシートと吸収体の間に配置される、トップシートと吸収体の中間層となるシート状部材を意味する。
【００３１】
図１Ａ及び図１Ｂに示す吸収性物品１Ａ及び図２Ａ及び図２Ｂに示す吸収性物品１Ｂは、シート状部材５０がセカンドシート５４である形態の例である。一方、図３Ａ及び図３Ｂに示す吸収性物品１Ｃは、シート状部材５０が吸収体被包シート５６である形態の例である。
【００３２】
［２−２］エンボス部：
本発明の吸収性物品は、図１Ａ及び図１Ｂに示す吸収性物品１Ａのように、シート状部材５０（この例ではセカンドシート５４）のうち、少なくとも着用者の性器及び肛門に宛がわれる部分にエンボス加工が施されることによってエンボス部５２が形成されている。こうすることにより、着用者の肌の中でもデリケートな性器周りに宛がわれる部分の柔軟性が改善される。また、尿や便が落下する部分の吸水性が改善される。
【００３３】
「エンボス加工」とは、被加工材を一対のロール間に挟み込み、ロール表面に形成されたエンボス模様を型押しすることにより、ロール表面のエンボス模様を被加工材に転写する加工方法を意味する。
【００３４】
一対のロールの組み合わせとしては、凸エンボス模様がロール表面に形成された凸エンボスロールと、凸エンボス模様と相補的な凹エンボス模様がロール表面に形成された凹エンボスロールの組み合わせ、前記凸エンボスロールと、ロール表面に模様が形成されていないプレーンロールとの組み合わせ等を挙げることができる。
【００３５】
具体的な加工方法としては、金属製の凸エンボスロールと、同じく金属製の凹エンボスロールを組み合わせるマッチドスチールエンボス加工、金属製の凸エンボスロールと、ゴム製のプレーンロール（ラバーロール）を組み合わせるラバースチールエンボス加工等を挙げることができる。本発明においては、尿等の吸収性が向上するという理由から、ラバースチールエンボス加工によりエンボス部を形成することが好ましい。
【００３６】
エンボス模様の単位形状（以下、単に「エンボス」と記す。）としては、例えば、図１Ｃに示すようなＶ字形、図２Ｃに示すような円形、図３Ｃに示すような楕円形、その他菱形、多角形等の形状を挙げることができる。また、波線状のような連続形状であってもよい。
【００３７】
エンボスの高さは０．２〜２．０ｍｍとすることが好ましい。０．２ｍｍ未満とするとエンボス形成による柔軟性及び吸水性改善の効果が得られない場合がある。一方、２．０ｍｍを超えると、着用感が低下するという不具合がある。
【００３８】
エンボスの密度は０．５〜７０個／ｃｍ２であることが好ましい。７０個／ｃｍ２未満とするとエンボス形成による柔軟性及び吸水性改善の効果が得られない場合がある。一方、０．５個／ｃｍ２を超えると、着用感が低下するという不具合がある。
【００３９】
エンボスの大きさは１個当たり０．０１５〜１ｃｍ２であることが好ましい。０．０１５ｃｍ２未満とすると柔軟性及び吸水性改善の効果が得られないという不具合を生ずる場合がある。一方、１ｃｍ２を超えると、着用感が低下するという不具合がある。
【００４０】
エンボスが波線状等の連続形状の場合は、凸部のピッチが、２〜２０ｍｍであることが好ましい。２ｍｍ未満とするとエンボス形成による柔軟性及び吸水性改善の効果が得られない場合がある。一方、２０ｍｍを超えると、着用感が低下するという不具合がある。
【００４１】
エンボス部が形成される「着用者の性器及び肛門に宛がわれる部分」とは、吸収性物品を着用した際に、着用者の性器及び肛門に当接する部分、即ち吸収性物品の股下中央部を意味する。具体的には、図１Ｃに示すように、吸収体２２の配置位置のうち、股下部の幅Ｗ１（最も狭い部分の幅）を基準として幅方向中央部３０％を占める部分であって、かつ、前後方向の長さＬ１を基準として前後方向中央部３０％を占める部分を意味する。
【００４２】
「少なくとも」であるから、上記部分にエンボス部が形成されている限り、他の部分にエンボス部が形成されていてもよい。例えば、図２Ａ及び図２Ｂに示す吸収性物品１Ｂは、着用者の性器及び肛門に宛がわれる部分を含み、それより広い範囲にエンボス部５２を形成した例である。このような形態は、図１Ａ及び図１Ｂに示す吸収性物品１Ａと比較して、着用後、吸収性物品が若干ずれた場合でも柔軟性、吸収性への影響が少ないという点で好ましい。
【００４３】
また、本発明の吸収性物品は、シート状部材の全体にエンボス部が形成されていてもよいし、シート状部材の一部にエンボス部が形成されていてもよい。例えば、図１Ａ及び図１Ｂに示す吸収性物品１Ａ及び図２Ａ及び図２Ｂに示す吸収性物品１Ｂは、シート状部材５０（セカンドシート５４）の全体にエンボス部５２が形成されている例である（図１Ｃ及び図２Ｃ参照）。一方、図３Ａ及び図３Ｂに示す吸収性物品１Ｃは、シート状部材５０の一部（吸収体被包シート５６の一部である上シート６２）にエンボス部５２が形成されている例である（図３Ｃ参照）。
【００４４】
本発明の吸収性物品は、図３Ａ及び図３Ｂに示す吸収性物品１Ｃのように、シート状部材５０のうち、着用者の性器及び肛門に宛がわれる部分に、小さいエンボスが密に配置されてなる第１エンボス部５８が形成されるとともに、第１エンボス部５８の周縁部に、大きいエンボスが疎に配置されてなる第２エンボス部６０が形成されているものが好ましい。
【００４５】
シート状部材５０の中央部に、小さいエンボスが密に配置されてなる第１エンボス部５８を形成することで、着用者の肌の中でもデリケートな性器周りに宛がわれる部分の柔軟性及び尿や便が落下する部分の吸水性が更に改善される。
【００４６】
一方、第１エンボス部５８の周縁部に、大きいエンボスが疎に配置されてなる第２エンボス部６０を形成することで、当該部分の流動抵抗性が向上し、尿や水様便が流れ難くなる。従って、第１エンボス部５８に落下した尿や水様便が、第１エンボス部５８を包囲する第２エンボス部６０によって堰き止められ、吸収性物品１Ｃの左右側縁や前後端部からの漏れが有効に防止される。
【００４７】
この形態において、エンボスの大きさは、第１エンボス部を０．０１５〜０．７ｃｍ２、第２エンボス部を０．０３〜１ｃｍ２とすることが好ましい。
【００４８】
また、エンボスの密度は、第１エンボス部を１０〜７０個／ｃｍ２、第２エンボス部を０．５〜５０個／ｃｍ２とすることが好ましい。
【００４９】
本発明の吸収性物品においては、図５に示す吸収性物品１Ｅのように、シート状部材５０が、吸収体２２とトップシート１８との間に、エンボス部５２が２層以上積層されるように配置されていることが好ましい。エンボス部を２層以上積層することで、尿等の吸収性が向上するという効果を得ることができる。
【００５０】
「エンボス部が２層以上積層されるように配置」とは、エンボス部が形成されたシート状部材が複数枚積層された形態の他、エンボス部が形成されたシート状部材が折り重ねられてエンボス部が積層された形態も含む趣旨である。
【００５１】
また、エンボス部が形成されたシート状部材が複数枚積層された形態の場合、積層される複数枚のシート状部材は、同種のシート状部材であってもよいし、異種のシート状部材であってもよい。例えば、エンボス部が形成された吸収体被包シートと、同じくエンボス部が形成されたセカンドシートが積層されている形態も本発明の範囲に含まれる。なお、同種のシート状部材の積層体は、そのシート状部材を積層した状態でエンボス加工を施すことにより容易に製造することができる。
【００５２】
エンボス部が形成されたシート状部材が複数枚積層された形態の例としては、１）図５に示す吸収性物品１Ｅのように、エンボス部５２が形成された吸収体被包シート５６が２枚積層された形態、２）図６に示す吸収性物品１Ｆのように、エンボス部５２が形成された上シート６２（下シート６４とともに吸収体被包シート５６を構成する。）が２枚積層された形態、３）図７に示す吸収性物品１Ｇのように、エンボス部５２が形成されたセカンドシート５４が２枚積層された形態、等を挙げることができる。なお、図示しないが、図４，図６，図７に示す形態は、図３Ａ及び図３Ｂに示す形態と同様に、第１エンボス部と第２エンボス部が形成されている。これらの形態の中では、尿等の吸収性と拡散性が良好であるという理由から、図７の形態が特に好ましい。
【００５３】
［２−３］不織布セカンドシートの付設：
本発明においては、図１Ａ及び図１Ｂに示す吸収性物品１Ａのように、トップシート１８と吸収体２２の中間層となるセカンドシートとして、嵩が高い親水性不織布からなる不織布セカンドシート６６を備え、不織布セカンドシート６６が、トップシート１８とエンボス部５２が形成されたシート状部材５０との間に配置されているものが好ましい。不織布セカンドシートはエンボス部が形成されたシート状部材と相俟って、尿等の拡散性、吸収性を向上させるという効果を奏する点で好ましい。なお、図４に示す吸収性物品１Ｄは、図３Ａに示す吸収性物品１Ｃと同様の形態において、更に不織布セカンドシート６６を付設した形態である。
【００５４】
「嵩が高い」とは、シートの坪量が３０ｇ／ｍ２以下であって、荷重２ｋＰａで押圧した際のシート厚さが０．２ｍｍ以上であることを意味する。中でも、坪量が１０〜２０ｇ／ｍ２、荷重２ｋＰａ押圧時の厚さが０．２５〜０．８ｍｍのシートを用いることが好ましい。嵩が高い不織布シートを用いることにより、尿等がシートの表面を流れ易くなり、良好な拡散効果を得ることができる。嵩が高い不織布シートとしては、エアスルー、スパンボンド、カードエンボス、スパンレース等の不織布からなる不織布シートを好適に用いることができる。これらの不織布は、トップシートと同様、界面活性剤による親水化処理等を施すことにより親水性不織布とすることができる。
【００５５】
不織布セカンドシートは、トップシートと比較して液透過性が低いことが好ましい。液透過性が高すぎるとトップシートを透過した尿等が不織布セカンドシートをそのまま透過してしまい、拡散効果を発揮させ難くなるからである。
【００５６】
なお、ここに言う「液透過性」は、以下の方法により評価した透過時間を基準に判断するものとする。（１）円筒状容器（中空部内径１０ｃｍ）の開口端部を塞ぐように、前記円筒状容器に対して評価対象のシートを固定する。（２）前記シートの表面に、７ｍｌ／秒の速度で１０ｍｌの生理食塩水を滴下する。（３）前記生理食塩水を、前記シートを透過させて前記円筒状容器の中空部に自然落下させる。この際、滴下開始から前記生理食塩水がシート表面からなくなるまでの透過時間を測定する。
【００５７】
［３］吸収性物品の他の構成部材：
本発明の吸収性物品は、図１Ａ及び図１Ｂに示す吸収性物品１Ａのように、吸収体２２と、少なくとも一部が液透過性材料からなり、吸収体２２の表面を被覆するように配置されたトップシート１８と、液不透過性材料からなり、吸収体２２の裏面を被覆するように配置されたバックシート２０と、を備えるものである。
【００５８】
［３−１］吸収体：
「吸収体」は、着用者の尿等を吸収し、保持するための部材であり、吸収性材料によって構成される。通常、吸収体はトップシートとバックシートの間に挟みこまれ、両シートと一体化された状態で用いられる。
【００５９】
「吸収性材料」としては、例えば、フラッフパルプ、高吸水性ポリマー（Ｓｕｐｅｒ  Ａｂｓｏｒｂｅｎｔ  Ｐｏｌｙｍｅｒ；以下、「ＳＡＰ」と記す。）、親水性シート等を挙げることができる。「フラッフパルプ」としては、木材パルプや非木材パルプを綿状に解繊したものを、「ＳＡＰ」としては、ポリアクリル酸ナトリウムを、「親水性シート」としては、ティシュ、吸収紙、親水化処理を行った不織布等を用いることが好ましい。
【００６０】
吸収体は、１種又は２種以上の吸収性材料を単層又は複層のマット状に成形したものを用いることが好ましい。中でも、フラッフパルプ１００質量部に対して、１０〜５００質量部のＳＡＰを併用したものが好ましい。中でも、フラッフパルプ１００質量部に対して、４０〜８０質量部のＳＡＰを併用したＳＡＰ比率が高い吸収体を用いた場合に、本発明の効果が発揮される。この際、ＳＡＰはフラッフパルプのマット中に混在させるか、フラッフパルプのマットの層間に層状に配置して用いればよい。
【００６１】
吸収体は、矩形状、砂時計型、ひょうたん型、Ｔ字型等、所望の形状に成形して用いることができる。吸収体は、ＳＡＰの脱落を防止し、形状安定性を付与するという目的から、親水性シートからなる吸収性被包シートによって被包されていることが好ましい。この際、図１Ｂに示すように、吸収体被包シート５６を上シート６２と下シート６４とから構成し、上シート６２と下シート６４によって吸収体２２を被包してもよいし、図５に示すように、一連の吸収体被包シート５６によって吸収体２２を被包してもよい。
【００６２】
［３−２］トップシート：
トップシートは、着用者の尿等を透過させる必要から、その少なくとも一部（全部又は一部）が液透過性材料により構成される。
【００６３】
「液透過性材料」としては、織布、不織布、多孔性フィルム等を挙げることができる。中でも、ポリプロピレン、ポリエチレン、ポリエステル、脂肪族ポリアミド等の熱可塑性樹脂からなる不織布に親水化処理を施したものを用いることが好ましい。
【００６４】
「不織布」としては、エアスルー（カード熱風）、カードエンボス等の製法によって製造された不織布を好適に用いることができる。「親水化処理」は、界面活性剤を塗布、スプレー、含浸等させることにより行うことができる。
【００６５】
トップシートは、「少なくとも一部」、具体的には、トップシートを平面的に見た場合に、少なくとも吸収体の表面近傍は液透過性材料により構成されていることが好ましい。
【００６６】
なお、吸収性物品の着用者の肌側に位置するシートが全てトップシートによって構成されている必要はない。即ち、着用者の肌と接するシートが、トップシートを含む複数のシートによって構成され、トップシートと他のシートがシートの表面方向に向かって継ぎ合わされたような構造となっていてもよい。
【００６７】
例えば、吸収性物品がテープ型使い捨ておむつである場合には、おむつの幅方向中央部には液透過性材料からなるトップシートを配置し、おむつのサイドフラップ部分には液の透過に対して抵抗性を示す通気撥水性材料からなるサイドシートを配置することがよく行われる。通気撥水性シートとしては、カードエンボス、スパンボンド等の製法により製造された不織布であってもよいが、防水性の高いＳＭＳ、ＳＭＭＳ等の不織布シートが更に好ましい。
【００６８】
［３−３］バックシート：
バックシートは、吸収体の裏面（吸収性物品の装着時において着用者の肌から遠い側に位置する面）を被覆するように配置されるシートである。バックシートは、着用者の尿が吸収性物品外部に漏洩してしまうことを防止する必要から、液不透過性材料によって構成される。
【００６９】
バックシートの配置位置については特に制限はない。吸収体で吸収された尿の漏れを防止するという観点から、少なくとも吸収体の存在する部分にバックシートが配置されていることが好ましい。
【００７０】
バックシートを構成する液不透過性材料としては、例えば、ポリエチレン等の樹脂からなる液不透過性フィルム等を挙げることができ、中でも、微多孔性ポリエチレンフィルムを用いることが好ましい。この微多孔性ポリエチレンフィルムは、０．１〜数μｍの微細な孔が多数形成されており、液不透過性ではあるが透湿性を有するため、おむつ内部の蒸れを防止することができるという利点がある。
【００７１】
なお、吸収性物品がテープ型使い捨ておむつである場合には、バックシートの外表面側にカバーシートを貼り合わせてもよい。このカバーシートは、バックシートを補強し、バックシートの手触り（触感）を良好なものとするために用いられる。
【００７２】
カバーシートを構成する材料としては、例えば、織布、不織布等を挙げることができる。中でも、ポリエチレン、ポリプロピレン、ポリエステル等の熱可塑性樹脂からなる乾式不織布、湿式不織布を用いることが好ましい。
【００７３】
［３−４］立体ギャザー：
本発明の吸収性物品は、図１Ａ及び図１Ｂに示す吸収性物品１Ａのように、撥水性シート３２からなり、吸収体２２の両側に配置された少なくとも一対の立体ギャザー２６を備えていることが好ましい。
【００７４】
立体ギャザーの構成は、従来の使い捨ておむつ、その他の吸収性物品に使用される構成を採用することができる。例えば、図１Ａに示す吸収性物品１Ａのように、撥水性シート３２の層間に伸縮材（立体ギャザー伸縮材３６）を挟み込んで固定し、その立体ギャザー伸縮材３６の収縮力によってギャザー（襞）を形成したもの等を好適に用いることができる。これらの例では、撥水性シート３２の折り返し部分に立体ギャザー伸縮材３６を挟み込んで固定した例である。
【００７５】
なお、立体ギャザーは、前記のように立体ギャザー用の撥水性シートを別途付設してもよいし、おむつを構成するシート材の一部によって形成してもよい。例えば、吸収性物品がテープ型使い捨ておむつである場合には、サイドシートを構成する撥水性シートの一部によって立体ギャザーを形成してもよい。撥水性シートは、カードエンボス、スパンボンド等の製法により製造された不織布であってもよいが、防水性の高いＳＭＳ、ＳＭＭＳ等の不織布シートが更に好ましい。
【００７６】
［３−５］伸縮材：
本発明の吸収性物品には、着用者の肌とのフィット性を高めるために、伸縮材を付設してもよい。例えば、尿パッドの場合には、尿パッドの両側縁に沿って側縁伸縮材を付設することができる。側縁伸縮材は、尿パッドの両側縁を着用者の肌にフィットさせることができ、横漏れの防止に有効である。
【００７７】
本発明の吸収性物品が使い捨ておむつである場合は、脚周り伸縮材を配置し、ウエスト周り伸縮材を配置することが好ましい。
【００７８】
脚周り伸縮材は、脚周り開口部のフィット性を向上させるための伸縮材である。脚周り開口部の近傍に脚周り伸縮材を配置することによって、脚周り開口部に伸縮性に富むレグギャザーを形成することができる。
【００７９】
ウエスト周り伸縮材は、ウエスト周り開口部のフィット性を向上させるための伸縮材である。ウエスト周り開口部の開口端に沿って伸縮材を配置することによって、ウエスト周り開口部に伸縮性に富むウエストギャザーを形成することができる。
【００８０】
パンツ型使い捨ておむつでは、腹回り伸縮材が付設される場合がある。腹周り伸縮材は、腹周りのフィット性を向上させるための伸縮材である。ウエスト周り開口部と脚周り開口部との間の部分（即ち、着用者の腹周りに相当する部分）に腹周り伸縮材を配置することによって、着用者の腹周りに伸縮性に富むタミーギャザーを形成することができる。
【００８１】
これらの伸縮材については、ギャザーの収縮の程度等を勘案した上で、構成材料、その材料の伸長率、固定時の伸長状態等を決定すればよい。
【００８２】
伸縮材としては、従来の使い捨ておむつで使用されてきた伸縮材を好適に用いることができる。具体的には、天然ゴムからなる平ゴムや合成ゴム（ウレタンゴム等）の弾性糸からなる糸ゴムの他、伸縮性ネット、伸縮性フィルム、伸縮性フォーム（ウレタンフォーム等）等を挙げることができる。
【００８３】
伸縮材は、十分な伸縮力を作用させるため、伸長状態で固定することが好ましい。例えば、伸縮材が天然ゴムからなる平ゴムや合成ゴムの弾性糸からなる糸ゴムである場合には、１２０〜４００％の伸長状態で固定することが好ましく、２００〜３００％の伸長状態で固定することがより好ましい。このような範囲の伸長状態で固定することにより、着用者に対して過度の締め付け力を作用させることなく、十分な伸縮力を作用させることが可能となる。
【００８４】
前記のような伸縮材は、吸収性物品の他の構成部材に対して、接着剤その他の手段により固定される。固定方法としては、例えば、ホットメルト接着剤、その他の流動性の高い接着剤を用いた接着であってもよいし、ヒートシールをはじめとする熱や超音波等による溶着であってもよい。
【実施例】
【００８５】
本発明の吸収性物品について、図面を参照しながら更に具体的に説明する。但し、本発明の吸収性物品は、その発明特定事項を備えた吸収性物品を全て包含するものであり、以下の実施例に限定されるものではない。
【００８６】
〔実施例１〕
実施例１の吸収性物品として、尿パッドを作製した。具体的な構造は、図１Ａ及び図１Ｂに示す吸収性物品１Ａの構造とした。この吸収性物品１Ａは、成人用のものであり、長さ４９０ｍｍ、幅２１０ｍｍの矩形状に構成した。吸収体２２は、図１Ｃに示すように、長さＬ１を３９０ｍｍ、幅Ｗ３を１７０ｍｍ、股下部（最狭部）の幅Ｗ１を１３０ｍｍとした。
【００８７】
［１−１］シート状部材：
吸収体２２とトップシート１８との間に配置するシート状部材５０は、セカンドシート５４とした。このセカンドシート５４は、紙パルプ１００質量部に対し、１質量部の湿潤紙力剤が配合された湿潤強力紙（ティシュ）から製造した。湿潤強力紙はティシュの抄紙工程においてポリアミドポリアミン・エピクロロヒドリン系樹脂を添加する内添法により製造した。この湿潤強力紙の坪量は２５ｇ／ｍ２であった。
【００８８】
［１−２］エンボス部：
前記湿潤強力紙にラバースチールエンボス加工を施して、エンボス部５２が形成されたセカンドシート５４を得た。図１Ｃに示すように、セカンドシート５４は、幅Ｗ２を８０ｍｍ、長さＬ２を１８０ｍｍのサイズとし、着用者の性器及び肛門に宛がわれる部分をカバーできる面積とした。また、セカンドシート５４は、シート全体にエンボス部５２が形成されたものとした。エンボスの形状は、図１Ｃに示すＶ字形とし、高さ０．５ｍｍ、凹部の大きさ０．１５ｃｍ２、密度は１．２個／ｃｍ２とした。
【００８９】
［１−３］不織布セカンドシートの付設：
吸収性物品１Ａにおいては、トップシート１８とエンボス部５２が形成されたシート状部材５０（セカンドシート５４）との間に、嵩が高い親水性不織布からなる不織布セカンドシート６６を配置した。
【００９０】
不織布セカンドシート６６は、幅１００ｍｍ、長さ２２０ｍｍの矩形状のシートであって、エアスルー不織布に対して界面活性剤による親水化処理を施して親水性不織布としたものを使用した。この不織布セカンドシート６６の坪量は１８ｇ／ｍ２、荷重２ｋＰａで押圧した際のシート厚さは０．２５ｍｍであった。
【００９１】
〔実施例２〕
実施例２の吸収性物品として、尿パッドを作製した。具体的な構造は、図２Ａ及び図２Ｂに示す吸収性物品１Ｂの構造とした。この吸収性物品１Ｂは、不織布セカンドシートを付設しないこと、シート状部材のサイズ及びエンボス部の形態を変更したことを除いては、実施例１の尿パッドと同様に作製した。
【００９２】
前記湿潤強力紙にマッチドスチールエンボス加工を施して、エンボス部を形成した。セカンドシート５４は、幅Ｗ２を１２０ｍｍ、長さＬ２を２５０ｍｍのサイズとし、着用者の性器及び肛門に宛がわれる部分をカバーできる面積より広い面積とした。また、セカンドシート５４は、シート全体にエンボス部５２が形成されたものとした。エンボスの形状は、図２Ｃに示す円形とし、高さ１．０ｍｍ、大きさ３８ｍｍ２、密度は６．２５個／ｃｍ２とした。
【００９３】
〔実施例３〕
実施例３の吸収性物品として、尿パッドを作製した。具体的な構造は、図３Ａ及び図３Ｂに示す吸収性物品１Ｃの構造とした。この吸収性物品１Ｃは、不織布セカンドシートを付設しないこと、シート状部材５０を吸収体被包シート５６の上シート６２としたこと、エンボス部の形態を変更したことを除いては、実施例１の尿パッドと同様に作製した。
【００９４】
前記湿潤強力紙にマッチドスチールエンボス加工を施して、エンボス部を形成した。上シート６２は、吸収体２２と略同一形状とした。図３Ｃに示すように、長さＬ２を３９０ｍｍ、幅Ｗ２を１７０ｍｍ、股下部（最狭部）の幅Ｗ４を１３０ｍｍとした。
【００９５】
また、上シート６２は、シートの一部にエンボス部５２が形成されたものとした。更に、上シート６２のうち、着用者の性器及び肛門に宛がわれる部分に、小さいエンボスが密に配置されてなる第１エンボス部５８を形成し、第１エンボス部５８の周縁部に、大きいエンボスが疎に配置されてなる第２エンボス部６０を形成した。
【００９６】
第１エンボス部５８は幅８０ｍｍ、長さ１５０ｍｍの矩形状の範囲に形成し、第２エンボス部６０は第１エンボス部５８を包囲し、かつ、外縁形状が幅１２０ｍｍ、長さ３００ｍｍの矩形状の範囲となるように形成した。
【００９７】
エンボスの形状は、図３Ｃに示す楕円形とし、第１エンボス部のエンボスは長径４ｍｍ、短径１．５ｍｍの楕円形（大きさ４．７ｍｍ２）、第２エンボス部のエンボスは長径５ｍｍ、短径２ｍｍの楕円形（大きさ７．９ｃｍ２）とした。即ち、第１エンボス部のエンボスより第２エンボス部のエンボスが大となるように形成した。また、エンボスの高さは、第１エンボス部を０．３ｍｍ、第２エンボス部を０．６ｍｍとした。
【００９８】
更に、エンボスの密度は、第１エンボス部を２１個／ｃｍ２、第２エンボス部を１２個／ｃｍ２とし、第１エンボス部のエンボス密度より第２エンボス部のエンボス密度が疎となるように形成した。
【産業上の利用可能性】
【００９９】
本発明の吸収性物品は、乳幼児用又は介護を必要とする高齢者や障害者等の成人用の使い捨ておむつ、尿パッド等の吸収性物品に利用することができる。
【図面の簡単な説明】
【０１００】
【図１Ａ】本発明の吸収性物品の一の実施形態を示す概略平面図である。
【図１Ｂ】図１Ａに示す吸収性物品のＡ−Ａ’断面を模式的に示す概略断面図である。
【図１Ｃ】図１Ａに示す吸収性物品を構成するセカンドシートの概略平面図である。
【図２Ａ】本発明の吸収性物品の別の実施形態を示す概略平面図である。
【図２Ｂ】図２Ａに示す吸収性物品のＡ−Ａ’断面を模式的に示す概略断面図である。
【図２Ｃ】図２Ａに示す吸収性物品を構成するセカンドシートの概略平面図である。
【図３Ａ】本発明の吸収性物品の更に別の実施形態を示す概略平面図である。
【図３Ｂ】図３Ａに示す吸収性物品のＡ−Ａ’断面を模式的に示す概略断面図である。
【図３Ｃ】図３Ａに示す吸収性物品を構成する吸収体被包シート（上シート）の概略平面図である。
【図４】本発明の吸収性物品の更にまた別の実施形態を示す概略断面図であり、吸収性物品を前後方向中央部で切断した断面を示す図である。
【図５】本発明の吸収性物品の別の実施形態を示す概略断面図であり、吸収性物品を前後方向中央部で切断した断面を示す図である。
【図６】本発明の吸収性物品の更に別の実施形態を示す概略断面図であり、吸収性物品を前後方向中央部で切断した断面を示す図である。
【図７】本発明の吸収性物品の更にまた別の実施形態を示す概略断面図であり、吸収性物品を前後方向中央部で切断した断面を示す図である。
【符号の説明】
【０１０１】
１Ａ，１Ｂ，１Ｃ，１Ｄ，１Ｅ，１Ｆ，１Ｇ：吸収性物品、１８：トップシート、２０：バックシート、２２：吸収体、２６：立体ギャザー、３２：撥水性シート、３６：立体ギャザー伸縮材、５０：シート状部材、５２：エンボス部、５４：セカンドシート、５６：吸収体被包シート、５８：第１エンボス部、６０：第２エンボス部、６２：上シート、６４：下シート、６６：不織布セカンドシート、Ｌ１，Ｌ２：長さ、Ｗ１，Ｗ２，Ｗ３，Ｗ４：幅。
【図１Ａ】
2010115352.tif 000003
【図１Ｂ】
2010115352.tif 000004
【図１Ｃ】
2010115352.tif 000005
【図２Ａ】
2010115352.tif 000006
【図２Ｂ】
2010115352.tif 000007
【図２Ｃ】
2010115352.tif 000008
【図３Ａ】
2010115352.tif 000009
【図３Ｂ】
2010115352.tif 000010
【図３Ｃ】
2010115352.tif 000011
【図４】
2010115352.tif 000012
【図５】
2010115352.tif 000013
【図６】
2010115352.tif 000014
【図７】
2010115352.tif 000015